(57)【特許請求の範囲】
【請求項１】
加熱手段を介して暖房及び乾燥用として送風する手段を有する暖房装置と、換気を行う換気手段を有する換気装置とを設け、暖房装置を介して与えられる制御信号により換気装置への給電を制御する給電制御部を制御し且つ制御信号と給電制御部とを絶縁分離する非接触接続器を設け、非接触接続器に回路部と、換気装置に電源を接続するための接続部とを備え、回路部と接続部とを分離する仕切り部材を設けて成ることを特徴とする暖房乾燥・換気システム。
【請求項２】
換気装置への給電を制御する給電制御部がリレー接点を備えた給電駆動回路部により構成され、該リレー接点を備えた給電駆動回路部と、リレー接点を操作するめのリレーコイルを備えた操作回路とで非接触接続器を構成して成ることを特徴とする請求項１記載の暖房乾燥・換気システム。
【請求項３】
暖房装置を操作する操作用リモコンに、暖房装置と換気装置とを連動して運転する場合と、各々単独で操作する場合とを操作可能としたモード切り変え手段を設けて成ることを特徴とする請求項１又は請求項２のいずれかに記載の暖房乾燥・換気システム。
【発明の詳細な説明】
【０００１】
【発明の属する技術分野】
本発明は、浴室等の湿気の高い部屋に設置される暖房乾燥・換気システムに関するものである。
【０００２】
【従来の技術】
従来から、例えば浴室のように湿気の高い部屋には換気装置が既に設置されており、多くの場合、換気装置単独で使用されている。
また、暖房装置が浴室内に設置される場合、浴室の暖房だけを目的とした温風を吐き出すだけの機能を備えたものとして提供されているか、あるいは、浴室内の既存の換気装置の有無に関係なく、暖房装置の内部に換気部を内蔵して暖房、乾燥、換気機能を備えたものとして提供されていた。
【０００３】
また、浴室内に換気装置と暖房装置との両方を設置している場合もあるが、それぞれの装置は単独で使用されており、暖房装置は温風を吐き出すのみの機能を有しており、換気装置は浴室内の空気を換気する機能のみを有しており、お互いの動作を連動することはできなかった。
【０００４】
【発明が解決しようとする課題】
しかしながら、上記した従来例にあっては、換気装置のみを単独で使用すると、当然のことながら、室内の換気は可能であるが、暖房装置を備えていないため、室内を暖房することは不可能であり、また、室内の温度が上昇しないために室内を乾燥することや、衣類等を乾燥するには効率が悪いという問題があった。
【０００５】
また、暖房装置のみを単独で使用すると当然のことながら室内の暖房は可能であるが換気機能を備えていないため、室内の空気を換気することは不可能であり、室内を乾燥することや衣類等を乾燥するには効率が悪いという問題があった。
更に、暖房装置に換気部が内蔵されている場合においても装置自体の寸法が大型化するため設置するスペースに制約が生じたり、本体の価格が高価になってしまうという問題があった。更に、室内に既に換気装置が設置されていて、後付けで換気機能を有した暖房装置を設置した場合、換気に際しては暖房装置及び換気装置のいずれか一方を使用すればよく、他方の換気装置又は換気部が活かされないという問題があった。
【０００６】
また、暖房装置と換気装置を各々単独で備えている場合においても、操作が独立しているため操作する場合において、個別にそれぞれの操作を動作させる必要があり、操作性に問題があった。
本発明は上記の従来例の問題点に鑑みて発明したものであって、それぞれ独立した暖房装置、換気装置を連動可能として、優れた操作性を有し、また、装置を小型化して安価にでき、既存の換気装置や暖房装置を有効に利用することができ、更に、感電やショートを防止し、装置の故障を減少させることができ、更にまた、両装置を連動して使用する場合も、単独で使用する場合も一つのリモコンで操作できる暖房乾燥・換気システムを提供することを課題とするものである。
【０００７】
【課題を解決するための手段】
上記課題を達成するために、本発明の暖房乾燥・換気システムは、加熱手段を介して暖房及び乾燥用として送風する手段を有する暖房装置１と、換気を行う換気手段を有する換気装置２とを設け、暖房装置１を介して与えられる制御信号により換気装置２への給電を制御する給電制御部３を制御し且つ制御信号と給電制御部３とを絶縁分離する非接触接続器４を設け、非接触接続器４に回路部９と、換気装置２に電源を接続するための接続部１０とを備え、回路部９と接続部１０とを分離する仕切り部材１１を設けて成ることを特徴とするものである。このような構成とすることで、暖房装置１を介して与えられる制御信号により換気装置２への給電制御を行って、両者の操作を連動可能とし、回路部９と接続部１０とを仕切り部材１１により仕切ることができる。
【０００８】
また、換気装置２への給電を制御する給電制御部３がリレー接点５を備えた給電駆動回路部６により構成され、該リレー接点５を備えた給電駆動回路部６と、リレー接点５を操作するためのリレーコイル７を備えた操作回路８とで非接触接続器４を構成することも好ましい。このような構成とすることで、簡単な構成で制御信号と給電制御部３とを絶縁分離（アイソレーション）する非接触接続器４を構成することができるものである。
【０００９】
また、暖房装置１を操作する操作用リモコン１２に、暖房装置１と換気装置２とを連動して運転する場合と、各々単独で操作する場合とを操作可能としたモード切り変え手段を設けることも好ましい。このような構成とすることで、暖房装置１と換気装置２を連動して使用したり、単独で使用したりするのが一つのリモコン１２にて操作できるものである。
【００１０】
【発明の実施の形態】
以下本発明の実施形態を添付図面に基づいて説明する。添付図面に示す実施形態においては、浴室に設置する場合を示している。
暖房装置１は図１、図２に示すように、天井１３や壁１４に温水等を循環する循環パイプ１５を配設した部屋（実施例では浴室）の天井１３又は壁１４に設置してある。
【００１１】
暖房装置１は図３乃至図６に示すように、ハウジング１６内に加熱手段である熱交換部１７と、モータ１８とクロスフローファンのような循環ファン１９によって構成される送風手段である循環ファンブロック２０と、電源ブロック２１とを内装して構成してある。熱交換部１７には循環パイプ１５が接続してあり、この循環パイプ１５は貯湯器２２に接続してあり、貯湯器２２から供給される高温の湯が熱交換部１７に供給されて熱交換部１７において循環ファンブロック２０で循環する空気を熱交換により加熱するようになっている。
【００１２】
ハウジング１６の正面は開口していてこの開口部に吸い込み口２３を有するグリル板２４が装着されるようになっており、グリル板２４には更に吹き出し口ルーバ２５と着脱フィルター２６が取付けてある。
図１において２７は建物に備えつけられた配電装置であって、電源線２８から電源ブロック２１を介して暖房装置１の各電気部品に電源を供給するようになっている。
【００１３】
そして、上記の構成の暖房装置１はリモコンのような操作手段を操作することで、各種の運転モードの運転制御ができるようになっている。
一方、換気装置２は暖房装置１と同様に、図７に示すように、室内の天井１３又は壁１４に設置されるものであり、吸気口部２９と、排気用ファンブロック３０と、排気ダクト３１とを備えて主体が構成してある。ここで、換気装置２は室内の空気を外部に排出するためのものであり、暖房装置１と共に駆動すれば、室内の空気が循環されると共に加熱されるので、室内の湿った空気が外部に排出されて乾燥性能を高めることができるものである。
【００１４】
上記の暖房装置１と換気装置２との間には非接触接続器４が設置してあり、暖房装置１と換気装置２とが接続可能となっている。
非接触接続器４は図８乃至図１０に示すように、ベース３２と、ベース３２内にねじ７０により取付けられた制御基板３３と、ベース部３２に着脱自在に取付けるための本体カバー部３５とで構成してある。
【００１５】
制御基板３３上にはコネクタ部５０が設けてあり、暖房装置１の電源ブロック２１側から導出する信号線３４の一端部が接続されるようになっている。該信号線３４の他端部は図１１に示すように暖房装置１の電源ブロック２１内に設けた電源基板のコネクタ部６１に連結されている。
また、制御基板３３上には換気装置２と電気的接続を可能とする速結端子構造の速結部３６が設けてある。速結端子構造の速結部３６は配線を接続する接続孔３７（３７ａ、３７ｂ、３７ｃ、３７ｄ）があり、この接続用孔３７に配線を挿入すると抜けないようにロックがかかるようになっており、また、配線を抜く場合は、図１０に示すように速結部３６内に設けたロック解除用の釦（図示せず）に対向した孔３８にドライバ３９を挿入してロック解除用の釦を操作してロック解除することで配線を図１０矢印のように抜くことができるようになっている。
【００１６】
ここで、換気装置２は強・弱切換機能が無いものと、強・弱切換機能があるものとの２種類があるので、いずれの換気装置２にも接続可能なようになっている。
すなわち、換気装置２が強・弱切換機能が無い場合には、図１２に示すように、換気装置２の配線４０のうち共通側の配線４０ａを、建物に備えつけられた配電装置２７に接続した電源線４１の接地側線４１ａと接続し、電源線４１の電圧側線４１ｂを速結部３６の接続孔３７のうち電源用となる接続孔３７ａに接続する。また、換気装置２の配線４０のうちもう一方の配線４０ｂを速結部３６の強運転用の接続孔３７ｂと、弱運転用の接続孔３７ｃとに短絡して接続する。
【００１７】
また、換気装置２が強・弱切換機能が有る場合には、図１３に示すように、換気装置２の配線４０のうち共通側の配線４０ａを、建物に備えつけられた配電装置２７に接続した電源線４１の接地側線４１ａと接続し、電源線４１の電圧側線４１ｂを速結部３６の接続孔３７のうち電源用となる接続孔３７ａに接続する。また、換気装置２の配線４０のうち強用の配線４０ｃを速結部３６の強運転用の接続孔３７ｂに接続し、また弱用の配線４０ｄを弱運転用の接続孔３７ｃに接続するものである。
【００１８】
また、換気装置２が強・弱切換機能が無い場合で、しかも、暖房装置１を介して送られる制御信号による換気装置２の制御と、換気装置用の手動操作スイッチ６０の操作による換気装置１の制御とが切換できるようにした場合には、図１４に示すように、換気装置２の配線４０のうち共通側の配線４０ａを、建物に備えつけられた配電装置２７に接続した電源線４１の接地側線４１ａと接続し、電源線４１の電圧側線４１ｂを速結部３６の接続孔３７のうち電源用となる接続孔３７ａに接続する。また、換気装置２の配線４０のうちもう一方の配線４０ｂを速結部３６の強運転用の接続孔３７ｂと、弱運転用の接続孔３７ｃとに短絡して接続する。また、外部スイッチである換気装置用の手動操作スイッチ６０の配線のうち一方の配線８０ａを電源線４１の電圧側線４１ｂに接続し、もう一方の配線８０ｂを速結部３６の接続孔３７のうちスイッチ用の接続孔３７ｄに接続する。
【００１９】
また、換気装置２が強・弱切換機能がある場合で、しかも、暖房装置１を介して送られる制御信号による換気装置２の制御と、換気装置用の手動操作スイッチ６０の操作による換気装置１の制御とを切換できるようにした場合には、図１５に示すように、換気装置２の配線４０のうち共通側の配線４０ａを、建物に備えつけられた配電装置２７に接続した電源線４１の接地側線４１ａと接続し、電源線４１の電圧側線４１ｂを速結部３６の接続孔のうち電源用となる接続孔３７ａに接続する。また、換気装置２の配線４０のうち強用の配線４０ｃを速結部３６の強運転用の接続孔３７ｂと、弱用の配線４０ｄを弱運転用の接続孔３７ｃにそれぞれ接続する。更に、外部スイッチである換気装置用の手動操作スイッチ６０の配線のうち一方の配線８０ａを電源線４１の電圧側線４１ｂに接続し、もう一方の配線８０ｂを速結部３６の接続孔３７のうちスイッチ用の接続孔３７ｄに接続する。
【００２０】
なお、図に示すように、各配線を白、黒、赤等の色分けをして識別することで、施工時の誤接続を防止するようになっている。
このように、非接触接続器４は換気装置２の機能の異なる種類のものであっても、全ての換気装置２の動作を連動可能となるように接続できるようになっている。
【００２１】
非接触接続器４の内部に内装される制御基板３３には換気装置２への給電を制御する給電制御部３が設けてある。この給電制御部３は図１６、図１７、図１８、図１９に示すように、換気装置２への給電を制御する給電制御部３がリレー接点５を備えた給電駆動回路部６により構成してあり、また、制御基板３３には暖房装置１を介して送られる制御信号によりリレー接点５を操作するためのリレーコイル７を備えた操作回路８が設けてあり、上記リレーを構成するリレーコイル７とリレー接点５とにより暖房装置１を介して送られる制御信号と給電制御部３とを絶縁分離（アイソレーション）するようになっている。すなわち、暖房装置１を介して送られる制御信号によりリレーコイル７ａを作動させるとリレー接点５ａをオン、オフ制御することで、換気装置２に電源を供給したり、電源供給を停止したりするものであり、また、リレーコイル７ｂを作動させるとリレー接点５ｂを強、弱切換するものである。ここで、図１６は図１２に示す実施形態に対応する回路図を示し、図１７は図１３に示す実施形態に対応する回路図を示し、図１８は図１４に示す実施形態に対応する回路図を示し、図１９は図１４に示す実施形態に対応する回路図を示している。図１６乃至図１９において、９１はヒューズを示している。
【００２２】
上記実施形態においては暖房装置１を介して送られる制御信号と給電制御部３とを絶縁分離するに当たってリレーを用いた例を示したが、リレー以外の手段、例えばフォトカプラあるいはその他の手段を用いてもよいのは勿論である。
ここで、非接触接続器４の内部に内装される制御基板３３は、上記給電駆動回路部６、操作回路８等の回路部９や制御装置１からの信号線３４が接続されるコネクタ部５０等を設けた電子部品領域５１と、換気装置２に給電用の配線を接続するための速結部３６を設けた接続領域５２とに区分けしてあり、電子部品領域５１と接続領域５２との間に仕切り部材１１を取付けてあり、施工者が配線時に誤って配線を行い、給電用の配線が電子部品と接触した際、感電・火災の危険性を防止したり、配線後に配線が外れ、電子部品との接触により火災等が生じる危険性を防止するようになっている。
【００２３】
暖房装置１は操作用リモコン１２を操作することで操作されるものであり、この操作用リモコン１２は図２０に示すように、ハウジング部５３、表示部５４、モード切換手段５５を備えており、更に、使用方法を明示するシール５６が貼り付けてある。
ここで、モード切換手段５５は、送受信釦５５ａ、送信切釦５５ｂ、モード切換釦５５ｃ、換気切換釦５５ｄ、タイマー切換釦５５ｅによって構成してあり、モード切換釦５５ｃによって、運転動作を「乾燥」、「暖房」、「換気」に切換可能となっている。また、換気切換釦５５ｄによって、「換気」の運転内容に強弱切換及び「送風」に切換可能となっている。また、タイマー切換釦５５ｅによって、上記の運転の動作時間を設定できるようになっており、モード決定後、送受信釦５５ａ、送信切釦５５ｂによって運転動作をオン、オフできるようになっている。
【００２４】
本実施形態においてはハウジング部５３内部は暖房装置１と換気装置２とを連動して操作する場合と、各々を独立に操作する場合との両方を一つの操作用リモコン１２によって可能とする切換スイッチ部５７が設けてある。すなわち、図２１に示すようにハウジング部５３の背面側に電池蓋５８を着脱自在に取付けた電池収納部５９が設けてあり、この電池収納部５９の内壁に上記切換スイッチ部５７が配置してあり、切換スイッチ部５７を「連動」側にスライドすると暖房装置１と換気装置２との動作を連動させることができ、また、「手動」側にスライドすると暖房装置１の動作のみ操作用リモコン１２により操作することができるように切換可能となっている。
【００２５】
しかして、今、図１５、図１９に示す実施形態のものにおいて、操作用リモコン１２に設けた切換スイッチ部５７を操作して「連動」を選択した場合、モード切換手段５５を操作して、下記の表１のような各種モードの運転が選択できるものであり、また、切換スイッチ部５７を操作して「手動」を選択した場合、下記の表２のように暖房装置１の動作のみ操作用リモコン１２により操作することができ、換気装置２の動作は独立して手動により換気装置用の手動操作スイッチ６０を操作することで操作するものである。下記の表１、表２において循環ファン１９及び換気装置２の動作は、動作時：○、停止時：×で示している。なお、図２３は乾燥モード（衣類乾燥、浴室乾燥）による運転時における空気の流れを示し、図２４は暖房モード（予備暖房）による運転時における空気の流れを示し、図２５は換気強モード、換気弱モードにおける空気の流れを示し、図２６は送風モードの空気の流れを示している。
【００２６】
【表１】
0003587411.tif 000002
【００２７】
【表２】
0003587411.tif 000003
【００２８】
また、図２２に示すように、操作用リモコン１２のハウジング部５３にはボールチェーン６５の一端部が接続され、このボールチェーン６５の他端部がハウジング部５３を着脱自在にはめ込んで支持するホルダー６６に接続してあり、ホルダー６６を暖房装置１や換気装置２を設置した高湿な室内の外部に固定することで、高湿な室内に操作用リモコン１２を放置したり、落下したりしないようになっている。
【００２９】
【発明の効果】
本発明の請求項１記載の発明にあっては、上述のように、加熱手段を介して暖房及び乾燥用として送風する手段を有する暖房装置と、換気を行う換気手段を有する換気装置とを設け、暖房装置を介して与えられる制御信号により換気装置への給電を制御する給電制御部を制御し且つ制御信号と給電制御部とを絶縁分離する非接触接続器を設けてあるので、単独に各々の操作をする必要がなく、暖房装置側を操作することで、換気装置側の操作も連動して操作することが可能となり、優れた操作性を有することが可能となるものであり、また、両装置を一体化する必要もないので、装置を小型化することが可能となり、設置可能な範囲が広がるばかりか、安価となり、また、既存の換気装置や暖房装置も無駄にならず有効に利用できるものであり、更に、非接触接続器に回路部と、換気装置に電源を接続するための接続部とを備え、回路部と接続部とを分離する仕切り部材を設けてあるので、配線の施工時の感電の恐れや配線時及び配線後に配線が回路部の電子部品に接触した際のショート等による火災等の危険性または装置の故障を減少させることができるものである。
【００３０】
また、請求項２記載の発明にあっては、上記請求項１記載の発明の効果に加えて、換気装置への給電を制御する給電制御部がリレー接点を備えた給電駆動回路部により構成され、該リレー接点を備えた給電駆動回路部と、リレー接点を操作するめのリレーコイルを備えた操作回路とで非接触接続器を構成してあるので、簡単な構成で制御信号と給電制御部とを絶縁分離する非接触接続器を構成することができるものである。
【００３２】
また、請求項３記載の発明にあっては、上記請求項１又は請求項２のいずれかに記載した発明の効果に加えて、暖房装置を操作する操作用リモコンに、暖房装置と換気装置とを連動して運転する場合と、各々単独で操作する場合とを操作可能としたモード切り変え手段を設けてあるので、暖房装置と換気装置を連動して使用する場合においても、暖房装置を単独で使用する場合においても、一つのリモコンにより操作できるものである。
【図面の簡単な説明】
【図１】本発明の全体概略斜視図である。
【図２】同上の暖房装置の取付けを示す断面図である。
【図３】同上の暖房装置の正面図である。
【図４】同上の暖房装置の断面図である。
【図５】（ａ）は同上の暖房装置の正面図であり、（ｂ）は下面図である。
【図６】同上の暖房装置の一部分解斜視図である。
【図７】同上の換気装置の取付けを示す断面図である。
【図８】同上の非接触接続器の分解斜視図である。
【図９】同上の非接触接続器の本体カバー部を取り外した状態の正面図である。
【図１０】同上の速結部から配線を外す場合の説明図である。
【図１１】（ａ）は同上の暖房装置の電源ブロック内に設けた電源基板のコネクタ部を示す正面図であり、（ｂ）は同上のコネクタ部への信号線の接続を示す説明図である。
【図１２】同上の換気装置が強・弱切換機能が無い場合における配線の接続を示す説明図である。
【図１３】同上の換気装置が強・弱切換機能がある場合における配線の接続を示す説明図である。
【図１４】同上の換気装置が強・弱切換機能が無い場合で且つ換気装置用の手動操作スイッチを設けた場合における配線の接続を示す説明図である。
【図１５】同上の換気装置が強・弱切換機能がある場合で且つ換気装置用の手動操作スイッチを設けた場合における配線の接続を示す説明図である。
【図１６】同上の図１２の実施形態に対応する非接触接続器の配線回路図である。
【図１７】同上の図１３の実施形態に対応する非接触接続器の配線回路図である。
【図１８】同上の図１４の実施形態に対応する非接触接続器の配線回路図である。
【図１９】同上の図１５の実施形態に対応する非接触接続器の配線回路図である。
【図２０】同上の操作用リモコンの正面図である。
【図２１】（ａ）は同上の操作用リモコンの背面の切換スイッチ部を設けた部分の説明図であり、（ｂ）は（ａ）のＡ部を拡大した説明図である。
【図２２】同上の操作用リモコンの側面図である。
【図２３】同上の乾燥モードによる運転を示す説明図である。
【図２４】同上の暖房モードによる運転を示す説明図である。
【図２５】同上の換気強モード、換気弱モードによる運転を示す説明図である。
【図２６】同上の送風モードによる運転を示す説明図である。
【符号の説明】
１  暖房装置
２  換気装置
３  給電制御部
４  非接触接続器
５  リレー接点
６  給電駆動回路部
７  リレーコイル
８  操作回路
９  回路部
１０  接続部
１１  仕切り部材
１２  操作用リモコン
【図１】
0003587411.tif 000004
【図２】
0003587411.tif 000005
【図３】
0003587411.tif 000006
【図４】
0003587411.tif 000007
【図５】
0003587411.tif 000008
【図６】
0003587411.tif 000009
【図７】
0003587411.tif 000010
【図８】
0003587411.tif 000011
【図９】
0003587411.tif 000012
【図１０】
0003587411.tif 000013
【図１１】
0003587411.tif 000014
【図１２】
0003587411.tif 000015
【図１３】
0003587411.tif 000016
【図１４】
0003587411.tif 000017
【図１５】
0003587411.tif 000018
【図１６】
0003587411.tif 000019
【図１７】
0003587411.tif 000020
【図１８】
0003587411.tif 000021
【図１９】
0003587411.tif 000022
【図２０】
0003587411.tif 000023
【図２１】
0003587411.tif 000024
【図２２】
0003587411.tif 000025
【図２３】
0003587411.tif 000026
【図２４】
0003587411.tif 000027
【図２５】
0003587411.tif 000028
【図２６】
0003587411.tif 000029